(57)【特許請求の範囲】
【請求項１】
第１のカバーと第２のカバーとを有する剥離装置に取り付けられ、前記第２のカバーを閉成状態でロックするカバーロック機構であって、
閉成状態の前記第１のカバーおよび第２のカバーとの間に設けられ、閉成時の前記第２のカバーに形成されているノッチ部を係止し、前記第２カバー側に設けられた係止部と閉成時の前記第１のカバーに当接し、前記第１カバー側に設けられたバネ部を有する所定角度の回転自由度を持ったフックと、
前記フックと係合し、前記第１のカバーの開閉に応じて変位する変位手段と、を具備し、
前記フックは、前記変位手段によって、前記第１のカバーが開成時には、前記フックが前記係止部によって前記ノッチ部が係止されないポジションに位置されると共に、前記第１のカバーが閉成時には、前記第１のカバーと前記バネ部とが当接した状態で、前記第２のカバーの閉成時に前記係止部によって前記ノッチ部が係止されるポジションに、前記バネ部の弾性力に抗して回動位置されることを特徴とするカバーロック機構。
【請求項２】
前記変位手段は、装置本体のサイドフレームに形成された可撓性部材であることを特徴とする請求項１記載のカバーロック機構。
【請求項３】
前記装置は、ラベルが間隔をおいて仮着された帯状台紙からラベルを剥離する剥離装置であり、前記第１のカバーは、前記ラベルが剥離された前記帯状台紙を排出する排出口が形成された前面カバーであり、前記第２のカバーは、前記ラベルが仮着された前記帯状台紙をロール状に巻き回したラベル連続体の装着箇所を覆う上面カバーであることを特徴とする請求項１乃至２のいずれかに記載のカバーロック機構。
【発明の詳細な説明】
【技術分野】
【０００１】
本発明は、装置に設けられたカバーをロックするカバーロック機構に関し、特にラベルが間隔をおいて仮着された帯状台紙からラベルを剥離する剥離装置に設けられた上面カバーをロックするカバーロック機構に関する。
【背景技術】
【０００２】
ラベルが間隔をおいて仮着された帯状台紙からラベルを剥離する剥離装置には、剥離されたラベルと、ラベルが剥離された帯状台紙とを前面の異なる位置から排出する必要があるため、ラベルが仮着された帯状台紙をロール状に巻き回したラベル連続体の装着箇所を覆う上面カバーと共に、ラベルが剥離された帯状台紙を排出する排出口が形成された前面カバーが設けられているのが一般的であり、ラベル連続体の交換時は、上面カバーおよび前面カバーをいずれも開成し、ラベル連続体を装着箇所に装着させると共に、帯状台紙を前面カバーに形成された排出口に挿通させることで行われる。
【０００３】
装置に設けられた複数のカバーは、閉成時には、それぞれがロックされるのが望ましいが、複数のカバーのそれぞれにロック機構およびロック解除機構を設けると、ラベル連続体の交換時等で同時に複数のカバーを開成させる場合には、それぞれのロック解除機構を操作してロック機構を解除させる必要があるため、操作が煩わしいものになる。
【０００４】
そこで従来は、第１のカバーのみにロック機構を設け、当該ロック機構を第２のカバーで覆うように構成したり（特許文献１参照）、第１のカバーのみにロック機構を設け、第１のカバーで第２のカバーをロックしたりすることで対応していた。
【０００５】
しかしながら、従来技術では、第１のカバーと第２のカバーとの閉成する順序を間違えると、第１のカバーもしくは第２のカバーのいずれかがロックがされない状態となり、第１のカバーもしくは第２のカバーのいずれかがロックがされていない状態で装置が起動されてしまうという問題点があった。
【特許文献１】特開平１０−１００４９３号公報
【発明の開示】
【発明が解決しようとする課題】
【０００６】
本発明は斯かる問題点に鑑みてなされたものであり、その目的とするところは、ユーザが第１のカバーを閉成してロックした後に第２のカバーを閉成しても、第２のカバーを閉成した後に第１のカバーを閉成してロックしても、第２のカバーが確実にロックするカバーロック機構の提供およびロック解除機構を共通化する点にある。
【課題を解決するための手段】
【０００７】
本発明は上記課題を解決すべく、以下に掲げる構成とした。
請求項１記載の発明の要旨は、第１のカバーと第２のカバーとを有する剥離装置に取り付けられ、前記第２のカバーを閉成状態でロックするカバーロック機構であって、閉成状態の前記第１のカバーおよび第２のカバーとの間に設けられ、閉成時の前記第２のカバーに形成されているノッチ部を係止し、前記第２カバー側に設けられた係止部と閉成時の前記第１のカバーに当接し、前記第１カバー側に設けられたバネ部を有する所定角度の回転自由度を持ったフックと、前記フックと係合し、前記第１のカバーの開閉に応じて変位する変位手段と、を具備し、前記フックは、前記変位手段によって、前記第１のカバーが開成時には、前記フックが前記係止部によって前記ノッチ部が係止されないポジションに位置されると共に、前記第１のカバーが閉成時には、前記第１のカバーと前記バネ部とが当接した状態で、前記第２のカバーの閉成時に前記係止部によって前記ノッチ部が係止されるポジションに、前記バネ部の弾性力に抗して回動位置されることを特徴とするカバーロック機構に存する。
また請求項２記載の発明の要旨は、前記変位手段は、装置本体のサイドフレームに形成された可撓性部材であることを特徴とする請求項１記載のカバーロック機構に存する。
また請求項３記載の発明の要旨は、前記装置は、ラベルが間隔をおいて仮着された帯状台紙からラベルを剥離する剥離装置であり、前記第１のカバーは、前記ラベルが剥離された前記帯状台紙を排出する排出口が形成された前面カバーであり、前記第２のカバーは、前記ラベルが仮着された前記帯状台紙をロール状に巻き回したラベル連続体の装着箇所を覆う上面カバーであることを特徴とする請求項１乃至２のいずれかに記載のカバーロック機構に存する。
【発明の効果】
【０００８】
本発明のカバーロック機構は、第２のカバーに形成されているノッチ部を係止する係止部と閉成時の第１のカバーに当接するバネ部とを有するフックが、第１のカバーが開成時には、第２のカバーが閉成されても係止部によってノッチ部が係止されないポジションに位置されると共に、第１のカバーが閉成時には、第１のカバーとバネ部とが当接した状態で、第２のカバーが閉成されると係止部によってノッチ部が係止されるポジションに位置されるように構成することにより、第１のカバーを閉成してロックした後に第２のカバーを閉成しても、第２のカバーを閉成した後に第１のカバーを閉成してロックしても、第２のカバーが確実にロックされると共に、第１のカバーのロックを解除して開成すると第２のカバーのロックも解除されるため、第１のカバーおよび第２のカバーのロック解除機構を共通化して、操作性が向上するという効果を奏する。
【発明を実施するための最良の形態】
【０００９】
以下、本発明の実施の形態を図面に基づいて詳細に説明する。
【００１０】
図１は、本発明に係るカバーロック機構の実施の形態が用いられる剥離装置の外観構成を示す構成を示す斜視図であり、図２は、図１に示す剥離装置の構成を示す概略構成図であり、図３は、本発明に係るカバーロック機構の構成を示す概略構成図であり、図４は、本発明に係るカバーロック機構の前面カバーのみが閉成された状態を示す概略構成図であり、図５は、本発明に係るカバーロック機構の前面カバーおよび上面カバーが閉成された状態を示す概略構成図であり、図６は、本発明に係るカバーロック機構の上面カバーのみが閉成された状態を示す概略構成図である。
【００１１】
本実施の形態のカバーロック機構は、図１に示す剥離装置１０の上部を開閉する上面カバー１１をロックする機構であり、剥離装置１０の前面を開閉する前面カバー１２の開成時には、上面カバー１１のロックが解除され、前面カバー１２の閉成時には、上面カバー１１をロックできるように構成されている。
【００１２】
剥離装置１０は、図２を参照すると、ラベル１が帯状台紙２に所定間隔で仮着されているロール状のラベル連続体３が装着される用紙供給軸１３と、帯状台紙２を挟持して搬送およびその停止を行う第１搬送ローラ１４および第２搬送ローラ１５と、帯状台紙２からラベル１を剥離する剥離板１６と、ラベル連続体３にたるみを付けないように剥離板１６にラベル連続体３を押圧する押圧ローラ１７と、剥離板１６から突出された状態のラベル１の検出を行うラベル検出部１８とからなる。なお、図２中の符号１９は、ラベル連続体３を剥離板１６に向けて案内するガイドローラであり、符号２０は、ラベル１が剥離された帯状台紙２を剥離板１６から第１搬送ローラ１４および第２搬送ローラ１５に案内するガイドローラである。
【００１３】
ラベル１の供給は、図示しない駆動モータで第１搬送ローラ１４を回転駆動させ、ラベル１が剥離された帯状台紙２を第１搬送ローラ１４と第２搬送ローラ１５との間に挟持して装置外に向けて搬送することで、ラベル連続体３を用紙供給軸１３から剥離板１６に搬送する。剥離板１６に搬送されたラベル連続体３は、剥離板１６において帯状台紙２がラベル１から離間する方向に折り返されることにより、ラベル１がその搬送方向前方側から順次剥離され、ラベル１が搬送方向の後端部まで剥離された際に、帯状台紙２（ラベル連続体３）の搬送を停止することにより、ラベル１を帯状台紙２から突出した状態に保持するようになっている。
【００１４】
図１は、剥離装置１０の外観構成を示しており、筐体２１の上面には、上面カバー１１が、筐体２１の前面には、前面カバー１２がそれぞれ設けられている。また、筐体２１の前面には、電源スイッチ２２と、ラベル１の送り出し量を設定するラベル送り出し調整ボリューム２３とが設けられている。
【００１５】
上面カバー１１には、後述する本発明のロック機構によって係止されるノッチ部１１１が設けられていると共に、押圧ローラ１７およびガイドローラ１９が取り付けられており、上面カバー１１の開成時に押圧ローラ１７およびガイドローラ１９が上方に退避する構成となっている。
【００１６】
前面カバー１２には、ラベル１が剥離された帯状台紙２が排出される帯状台紙排出口２４が形成されていると共に、ラベル検出部１８、第２搬送ローラ１５およびガイドローラ２０が取り付けられている。また、前面カバー１２は、左右両端側に設けられたオープンレバー２５を内側に操作することにより、筐体２１とのロックが解除されて開成できるように構成されており、前面カバー１２の開成時には、ラベル検出部１８、第２搬送ローラ１５およびガイドローラ２０が前方に退避する構成となっている。
【００１７】
ラベル連続体３の装着は、上面カバー１１および前面カバー１２を開成した状態で行い、用紙供給軸１３に装着したロール状のラベル連続体３を筐体２１内の所定位置にセットした後に、ラベル連続体３を引き出して前面カバー１２に形成されている帯状台紙排出口２４に挿通させた状態で、上面カバー１１および前面カバー１２を閉じることにより、上面カバー１１に取り付けられている押圧ローラ１７およびガイドローラ１９と、前面カバー１２に取り付けられている第２搬送ローラ１５、ラベル検出部１８およびガイドローラ２０が所定位置にセットされるようになっている。
【００１８】
本実施の形態のカバーロック機構は、図３を参照すると、上面カバー１１に形成されたノッチ部１１１を係止して上面カバー１１をロックするフック３０と、前面カバー１２の開閉に応じて変位する変位部４０とからなる。
【００１９】
フック３０は、支点３１を中心に所定角度の回転自由度を持った状態で筐体２１のサイドフレーム２６に取り付けられており、上面カバー１１に形成されたノッチ部１１１を係止する係止部３２が形成されていると共に、前面カバー１２が閉成時に前面カバー１２の内側に設けられた第１押圧部１２１に当接するバネ部３３が延設されている。
【００２０】
変位部４０は、筐体２１のサイドフレーム２６に形成されたＬ字状の可撓性部材であり、フック３０と係合する突起４１が設けられている。前面カバー１２が開成された状態では、図３に示すように、変位部４０が撓むことなく、突起４１によってフック３０が前面側に回動され、フック３０は、係止部３２によって上面カバー１１に形成されたノッチ部１１１を係止しないポジションに位置する。
【００２１】
図３に示す状態、すなわち上面カバー１１および前面カバー１２が開成された状態から前面カバー１２が閉じられると、図４に示すように、変位部４０のＬ字状に延出した先端部が前面カバー１２の内側に設けられた第２押圧部１２２によって押圧され、変位部４０が後方側に撓んで、係止部３２によって上面カバー１１に形成されたノッチ部１１１を係止しないポジションにフック３０を位置させていた突起４１が後方側に移動されると共に、前面カバー１２の第１押圧部１２１がバネ部３３に当接することによって、フック３０は、係止部３２によって上面カバー１１に形成されたノッチ部１１１を係止することができるポジションに位置する。なお、前面カバー１２のオープンレバー２５には、被係止部２５１が形成されており、前面カバー１２が閉成されると、筐体２１のサイドフレーム２６に形成された図示しない係止穴によって被係止部２５１が係止され、前面カバー１２がロックされるように構成されている。
【００２２】
図４に示す状態、すなわち前面カバー１２のみが閉成された状態から上面カバー１１を閉じていくと、フック３０の上部側に形成された傾斜面と上面カバー１１に形成されたノッチ部１１１とが当接することにより、フック３０がバネ部３３の弾性力に抗して前面側に回動される。そして、上面カバー１１が完全に閉成されると、バネ部３３の弾性力によってフック３０が後方側に回動され、図５に示すように、係止部３２によって上面カバー１１に形成されたノッチ部１１１が係止され、上面カバー１１がロックされる。これにより、前面カバー１２を閉じた後に上面カバー１１を閉じた場合でも、上面カバー１１をロックすることができる。
【００２３】
また、図３に示す状態、すなわち上面カバー１１および前面カバー１２が開成された状態から上面カバー１１が閉じられると、図６に示すように、フック３０は、係止部３２によって上面カバー１１に形成されたノッチ部１１１を係止しないポジションに位置しているため、上面カバー１１に形成されたノッチ部１１１がフック３０の係止部３２によって係止されない状態で、上面カバー１１が完全に閉成される。
【００２４】
図６に示す状態、すなわち上面カバー１１のみが閉成された状態から前面カバー１２が閉じられると、変位部４０のＬ字状に延出した先端部が前面カバー１２の内側に設けられた第２押圧部１２２によって押圧され、変位部４０が後方側に撓んで、突起４１が後方側に移動されると共に、前面カバー１２の第１押圧部１２１がバネ部３３に当接することによって、フック３０は、係止部３２によって上面カバー１１に形成されたノッチ部１１１を係止することができるポジションに移動され、図５に示すように、係止部３２によって上面カバー１１に形成されたノッチ部１１１が係止され、上面カバー１１がロックされる。これにより、上面カバー１１を閉じた後に前面カバー１２を閉じた場合でも、上面カバー１１をロックすることができる。
【００２５】
図５に示す状態、すなわち上面カバー１１および前面カバー１２が閉じられ、上面カバー１１および前面カバー１２のいずれもがロックされている状態から、オープンレバー２５を操作することで前面カバー１２のロックを解除して前面カバー１２を開成すると、前面カバー１２の内側に設けられた第２押圧部１２２による押圧から変位部４０が解放されるため、図６に示すように、変位部４０が撓むことなく、突起４１によって第１押圧部１２１が前面側に回動され、フック３０は、係止部３２によって上面カバー１１に形成されたノッチ部１１１を係止しないポジションに移動され、上面カバー１１のロックも解除される。これにより、前面カバー１２のロックを解除して前面カバー１２を開成することで、上面カバー１１のロックも解除させることができる。
【００２６】
以上説明したように、本実施の形態によれば、上面カバー１１に形成されているノッチ部１１１を係止する係止部３２と閉成時の前面カバー１２に当接するバネ部３３とを有するフック３０が、前面カバー１２が開成時には、上面カバー１１が閉成されても係止部３２によってノッチ部１１１が係止されないポジションに位置されると共に、前面カバー１２が閉成時には、前面カバー１２とバネ部３３とが当接した状態で、上面カバー１１が閉成されると係止部３２によってノッチ部１１１が係止されるポジションに位置されるように構成することにより、前面カバー１２を閉成してロックした後に上面カバー１１を閉成しても、上面カバー１１を閉成した後に前面カバー１２を閉成してロックしても、上面カバー１１が確実にロックされると共に、前面カバー１２のロックを解除して開成すると上面カバー１１のロックも解除されるため、上面カバー１１および前面カバー１２のロック解除機構を共通化しても、ユーザが前面カバー１２と上面カバー１１との閉成する順序を考慮することなく、前面カバー１２と上面カバー１１とをいずれも確実にロックすることができ、操作性が向上するという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係るカバーロック機構の実施の形態が用いられる剥離装置の外観構成を示す構成を示す斜視図である。
【図２】図１に示す剥離装置の構成を示す概略構成図である。
【図３】本発明に係るカバーロック機構の構成を示す概略構成図である。
【図４】本発明に係るカバーロック機構の前面カバーのみが閉成された状態を示す概略構成図である。
【図５】本発明に係るカバーロック機構の前面カバーおよび上面カバーが閉成された状態を示す概略構成図である。
【図６】本発明に係るカバーロック機構の上面カバーのみが閉成された状態を示す概略構成図である。
【符号の説明】
【００２９】
１  ラベル
２  帯状台紙
３  ラベル連続体
１０  剥離装置
１１  上面カバー（第２のカバー）
１２  前面カバー（第１のカバー）
１３  用紙供給軸
１４  第１搬送ローラ
１５  第２搬送ローラ
１６  剥離板
１７  押圧ローラ
１８  ラベル検出部
１９、２０  ガイドローラ
２１  筐体
２２  電源スイッチ
２３  ラベル送り出し調整ボリューム
２４  帯状台紙排出口
２５  オープンレバー
２６  サイドフレーム
３０  フック
３１  支点
３２  係止部
３３  バネ部
４０  変位部
４１  突起
１１１  ノッチ部
１２１  第１押圧部
１２２  第２押圧部
２５１  被係止部
【図１】
0004705419.tif 000002
【図２】
0004705419.tif 000003
【図３】
0004705419.tif 000004
【図４】
0004705419.tif 000005
【図５】
0004705419.tif 000006
【図６】
0004705419.tif 000007